(57)【特許請求の範囲】
【請求項１】
前面開口部を閉塞する複数の透明な板材を、この板材における上下の端部の裏面に接着剤をもって固着された左右方向を向くガイドレールを介して、前記開口部に設けてなる展示ケースにおいて、
前記板材を、中間膜を挟み込んだ複数のパネルの合わせ板材よりなるものとし、前記中間膜における少なくとも前記ガイドレールと対向する部分を不透明とするとともに、その他の部分を透明としたことを特徴とする展示ケース。
【請求項２】
中間膜を、着色中間膜と透明中間膜とからなるものとし、少なくともガイドレールと対向する部分を着色中間膜として、その部分を不透明とするとともに、他の部分を透明中間膜として、その部分を透明としたことを特徴とする請求項１に記載の展示ケース。
【請求項３】
中間膜を、透明中間膜を複数重ね合わせたものとし、少なくとも１枚の透明中間膜におけるガイドレールと対向する部分を着色中間膜に、その他の部分を透明中間膜としたことを特徴とする請求項２に記載の展示ケース。
【請求項４】
透明中間膜における少なくともガイドレールと対向する部分の表面にダイレクト印刷を施すことにより、その部分を不透明としたことを特徴とする請求項１に記載の展示ケース。
【請求項５】
中間膜が、衝撃吸収機能、遮熱機能、紫外線反射機能の少なくともいずれかの機能を有するものとしたことを特徴とする請求項１ないし４のいずれかに記載の展示ケース。
【発明の詳細な説明】
【技術分野】
【０００１】
本発明は、博物館や美術館等に設置される作り付けの展示ケースに係り、特に、展示ケースの前面開口部に設けられた透明な板材の構造に関する。
【背景技術】
【０００２】
従来、博物館や美術館等に設置される作り付けの展示ケースの中には、例えば、特許文献１及び２に記載されているように、ケース内への展示品の出し入れ等を容易とするために、左右複数枚のガラスパネル等の扉（板材）の少なくとも１枚を前方にずらし、このずらした扉や他の扉を左右方向に移動させることにより、ケース本体の開口部を一部開放させうるようにしたものがある。
【０００３】
このような展示ケースにおいては、扉（板材）を支持して左右方向に移動させるために、扉の裏面における上下の端部に、左右方向を向くガイドレールを、接着剤により固着し、この上下のガイドレールを、ケース本体の開口部の上下部に設けた案内支持手段により支持して左右方向に移動させるようにしている。
【先行技術文献】
【特許文献】
【０００４】
【特許文献１】特開２００１−２４５７６２号公報（図３）
【特許文献２】特開２００３−３２１９７２号公報（図２）
【発明の概要】
【発明が解決しようとする課題】
【０００５】
特許文献１及び２に記載されている展示ケースのように、透明なガラスパネル等の扉（板材）の裏面の上下両端部に、ガイドレールを接着したものにおいては、ガイドレールや接着剤等が展示ケースの前方から見えてしまい、体裁が悪くなる。そのため、特許文献１に記載の展示ケースにおいては、ガイドレールと対向する扉の裏面に、塗装膜を塗布するか、シート等を配設し、ガイドレールや接着剤が前方より目隠しされるようにしている。
【０００６】
しかしながら、扉の裏面に塗装膜を塗布したり、シート等を配設したりすると、扉とガイドレールとを、接着剤をもって直接接着することができず、塗装膜やシート等を介して接着されるため、ガイドレールに扉を強固に固着することができなくなる。そのため、展示ケースの耐用年数が限られたり、長期間の使用により扉が脱落する恐れがあるなど、信頼性が損なわれる。また、塗装膜を塗布する際に溶剤を使用するため、作業環境も悪くなる。
【０００７】
一方、特許文献２に記載の展示ケースにおいては、展示ケースの開口部の上下部に、化粧扉を設け、上下の化粧扉により、ガイドレールや接着剤等が展示ケースの前方から見えないように目隠ししているが、このような化粧扉を設けると、その製作コストや部品点数が増大するとともに、透明な扉の上下両端部の前面が化粧扉により覆われ、扉の上下の幅が狭められるので、展示ケースとしての体裁が悪い。
【０００８】
また、特許文献１及び２に記載されている展示ケースにおいては、いずれも扉は、単なる１枚のガラス板よりなっているため、万一地震等により破損した際に、ガラスが周囲に飛散する恐れがある。
【０００９】
本発明は、このような問題点に着目してなされたもので、特別な目隠し部材を別途設けることなく、ガイドレールを前方から体裁よく目隠しするとともに、板材とガイドレールとを、直接接着剤をもって強固に固着しうるようにし、更に、ガラス等よりなる板材が破損しても、周囲に飛散することないようにした、耐久性及び信頼性の高い展示ケースを提供することを目的とする。
【課題を解決するための手段】
【００１０】
前記課題を解決するために、本発明の展示ケースは、
前面開口部を閉塞する複数の透明な板材を、この板材における上下の端部の裏面に接着剤をもって固着された左右方向を向くガイドレールを介して、前記開口部に設けてなる展示ケースにおいて、
前記板材を、中間膜を挟み込んだ複数のパネルの合わせ板材よりなるものとし、前記中間膜における少なくとも前記ガイドレールと対向する部分を不透明とするとともに、その他の部分を透明としたことを特徴としている。
この特徴によれば、特別な目隠し部材を別途設けることなく、ガイドレールを、板材の前方から目隠しすることができるで、展示ケースの体裁がよくなる。また、ガイドレールに、後部のパネルの上下の端部を、接着剤により直接接着しうるので、板材を上下のガイドレールに強固に固着することができ、展示ケースの耐久性及び信頼性が向上する。更に、板材を、複数のパネルの間に中間膜を挟み込んだ合わせ板材としているので、万一地震等によりパネルが破損しても、パネルの破片が周囲に飛散するのが防止される。
【００１１】
本発明の展示ケースは、
中間膜を、着色中間膜と透明中間膜とからなるものとし、少なくともガイドレールと対向する部分を着色中間膜として、その部分を不透明とするとともに、他の部分を透明中間膜として、その部分を透明としたことを特徴としている。
この特徴によれば、前後複数のパネルの間に、予め製作した既製の着色中間膜と透明中間膜とを挟んで一体化することにより、ガイドレールを目隠ししうる板材を容易に形成することができる。
【００１２】
本発明の展示ケースは、
中間膜を、透明中間膜を複数重ね合わせたものとし、少なくとも１枚の透明中間膜におけるガイドレールと対向する部分を着色中間膜に、その他の部分を透明中間膜としたことを特徴としている。
この特徴によれば、パネルの間に挟入した中間膜の厚さが厚くなるので、パネルが破損しにくく、また万一破損しても、ガラス等が周囲に飛散するのが効果的に防止される。
【００１３】
本発明の展示ケースは、
透明中間膜における少なくともガイドレールと対向する部分の表面にダイレクト印刷を施すことにより、その部分を不透明としたことを特徴としている。
この特徴によれば、既製の透明中間膜にダイレクト印刷を施して不透明とするのみでよいので、透明中間膜と着色中間膜との間の繋ぎ目がなくなり、展示ケースの製造時の作業性が向上されるばかりか、見栄えも向上される。
【００１４】
本発明の展示ケースは、
中間膜が、衝撃吸収機能、遮熱機能、紫外線反射機能の少なくともいずれかの機能を有するものとしたことを特徴としている。
この特徴によれば、中間膜を、衝撃吸収機能を有するものとすると、パネルが破損しにくくなり、また遮熱機能や紫外線反射機能を有するものとすると、展示ケース内の展示品が外気温度や照明の影響を受けにくくなるので、展示品の経時変化を少なくすることができる。
【図面の簡単な説明】
【００１５】
【図１】実施例１における展示ケースの正面図である。
【図２】図１のII−II線に沿う拡大縦断側面図である。
【図３】実施例２における展示ケースの図２と同部位の拡大縦断側面図である。
【図４】実施例３における展示ケースの図２と同部位の上半部の拡大縦断側面図である。
【図５】実施例４における展示ケースの図２と同部位の上半部の拡大縦断側面図である。
【発明を実施するための形態】
【００１６】
本発明に係る展示ケースを実施するための形態を実施例に基づいて以下に説明する。
【実施例１】
【００１７】
実施例１に係る展示ケースにつき、図１から図２を参照して説明する。図１は、博物館や美術館等等に設置される作り付けの展示ケース１の正面図で、この展示ケース１の後面は室内の壁面に当接し、前面開口部は、本発明における板材としての３枚の透明な扉２により閉塞されている。展示ケース１の内部には、大型の展示品３を展示しうる空間が形成されている。
【００１８】
図２の縦断面図に示すように、展示ケース１の開口部４の上下部に設けられた左右方向を向く上部フレーム５と下部フレーム６には、それぞれ、各扉２の上下の端部を支持するための側面視倒立Ｌ字状断面の上部ブラケット７と、Ｌ字状断面の下部ブラケット８とが、左右方向を向くように固定されている。なお、上下のブラケット７、８は、それによって支持される各扉２を前方に移動させて左右方向に開閉させうるように、図示しない電動駆動手段または手動駆動手段をもって、前後方向に移動させうるようになっているが、それらの駆動手段は本発明に直接関係しないので、詳細な説明は省略する。
【００１９】
上下のブラケット７、８には、左右複数のガイドローラ９における後方を向く支持軸９ａがねじ止めされ、上下の各ガイドローラ９には、左右方向を向く側面視後向コ字状断面の１対のガイドレール１０、１１が、左右方向に移動可能に嵌合されている。上部のガイドレール１０の上片１０ａの後端と、下部のガイドレール１１の底片１１ａの後端とには、ガイドローラ９の抜止め片１０ｂ、１１ｂが対向状に突設されている。
【００２０】
また、上部のガイドレール１０の上片１０ａの前端と、下部のガイドレール１１の底片１１ａの前端とには、扉２の上下両端を保持する保持片１０ｃ、１１ｃが前向きに突設されている。
【００２１】
各扉２は、透明な前後２枚のガラスパネル１２、１２の間に、例えば、厚さが１ｍｍ程度のポリビニルブチラール（ＰＶＢ）よりなる上下３枚の中間膜１３、１４、１５を挟み込んで一体的に固着された合わせ扉よりなっている。各中間膜１３、１４、１５は、衝撃吸収機能、遮熱機能、紫外線反射機能の少なくともいずれか１つの機能を有している。
【００２２】
上下の中間膜１３、１５は、顔料が混入された不透明な着色中間膜とされ、それらの間の中間膜１４は透明中間膜とされている。上下の各中間膜１３、１５の上下寸法は、上下の各ガイドレール１０、１１の上下寸法よりも大きくなるように形成されており、扉２を正面側から見た場合に、ガイドレール１０、１１のほぼ全体を中間膜１３、１５により隠蔽できるようになっている。
【００２３】
また、上方の中間膜１３と中央の中間膜１４の間、及び中央の中間膜１４と下方の中間膜１５の間には、中間膜１３、１４、１５同士の境界部Ｋが形成される（図２の部分拡大図参照）。この境界部Ｋにて中間膜１３、１４、１５同士が接触しており、３枚の中間膜１３、１４、１５が一体的となった見栄えとなっている。
【００２４】
後部のガラスパネル１２の上下両端部の後面を、上下のガイドレール１０、１１の前面に、接着剤１６をもって固着することにより、扉２は、その上下の端面を、上下のガイドレール１０、１１の保持片１０ｃ、１１ｃの対向面に当接または近接させた状態で、上下のガイドレール１０、１１により支持されている。
【００２５】
以上説明したように、本実施例の展示ケース１においては、透明な前後２枚のガラスパネル１２、１２間の上下両端部に挟入した中間膜１３、１５を、上下のガイドレール１０、１１の上下寸法よりも長い不透明な着色中間膜としたことにより、特別な目隠し部材を別途設けることなく、上下のガイドレール１０、１１が、扉２の前方及び斜め前下方から目隠しされるので、展示ケース１の体裁をよくすることができる。
【００２６】
また、上下のガイドレール１０、１１に、後部のガラスパネル１２の上下の端部を、接着剤１６により直接接着しているので、扉２を上下のガイドレール１０、１１に強固に固着することができ、展示ケース１の耐久性及び信頼性が向上する。
【００２７】
更に、扉２を、２枚のガラスパネル１２、１２の間に中間膜１３、１４、１５を挟み込んだ合わせ扉としてあるので、万一地震等によりガラスパネル１２が破損しても、ガラスが周囲に飛散するのが防止される。
【００２８】
中間膜１３、１４、１５を、衝撃吸収機能を有するものとすると、ガラスパネル１２が破損しにくくなり、また遮熱機能や紫外線反射機能を有するものとすると、展示品３が外気温度や照明の影響を受けにくくなるので、展示品３の経時変化を少なくすることができる。
【実施例２】
【００２９】
次に、実施例２に係る展示ケースにつき、図３を参照して説明する。なお、前記実施例に示される構成部分と同一構成部分に付いては同一符号を付して重複する説明を省略する。
【００３０】
図３に示す実施例２の扉２は、前後２枚のガラスパネル１２、１２の間に、前記実施例と同材質及び同機能の前後２枚の中間膜１９、１９を挟入して一体化した合わせ扉としたもので、前部の中間膜１９は、１枚の透明中間膜により形成され、後部の中間膜１９は、前記実施例と同様に、上下２枚の不透明な着色中間膜１９ａ、１９ａと、それらの間の透明中間膜１９ｂとからなっている。
【００３１】
この実施例２においても、前記実施例１と同様の作用効果を奏することができるとともに、前後２枚のガラスパネル１２、１２の間に前後２枚の中間膜１９を挟入して厚くしてあるので、ガラスパネル１２が破損しにくく、また万一破損しても、ガラスが周囲に飛散するのが効果的に防止される。
【実施例３】
【００３２】
次に、実施例３に係る展示ケースにつき、図４を参照して説明する。なお、前記実施例に示される構成部分と同一構成部分に付いては同一符号を付して重複する説明を省略する。
【００３３】
図４に示す実施例３の扉２（上下対称で同一構造であるので、下半部は図示略）は、前記実施例２と同様に、前後２枚のガラスパネル１２、１２間に前後２枚の中間膜１９、１９を挟入し、それらの両方の中間膜１９を、上下２枚の不透明な着色中間膜１９ａと、それらの間の透明中間膜１９ｂとしたものである。
【００３４】
この実施例３においても、前記実施例１と同様の作用効果を奏することができるとともに、前後２枚の中間膜１９の上下両端部の着色中間膜１９ａが重合しているので、顔料の混入量を少なくして、例えば、半透明の着色中間膜１９ａを形成しても、充分な目隠し効果が得られる。
【実施例４】
【００３５】
次に、実施例４に係る展示ケースにつき、図５を参照して説明する。なお、前記実施例に示される構成部分と同一構成部分に付いては同一符号を付して重複する説明を省略する。
【００３６】
図５に示す実施例４の扉２（上下対称で同一構造であるので、下半部は図示略）は、前後２枚のガラスパネル１２、１２の間に、上下両端部の前面にダイレクト印刷２０を施して不透明とした透明中間膜２１を挟入したものである。なお、ダイレクト印刷２０は、透明中間膜２１の後面に施してもよい。
【００３７】
この実施例４においても、ガイドレール１０は、透明中間膜２１におけるダイレクト印刷２０が施された部分により、前方から目隠しされるので、前記実施例１と同様の作用効果を奏することができる。
【００３８】
また、既製の透明中間膜２１にダイレクト印刷２０を施すのみでよいので、透明中間膜と着色中間膜との間の繋ぎ目（境界部）がなくなり、展示ケースの製造時の作業性が向上されるばかりか、見栄えも向上される。
【００３９】
以上、本発明の実施例を図面により説明してきたが、具体的な構成はこれら実施例に限られるものではなく、本発明の要旨を逸脱しない範囲における変更や追加があっても本発明に含まれる。
【００４０】
例えば、前記実施例２及び３においては、前後２枚のガラスパネル１２、１２の間に、２枚の中間膜１９を挟入したものとしたが、中間膜１９を２枚以上挟入してもよい。
【００４１】
また、ガラスパネル１２を２枚以上として、互いのガラスパネルの間に中間膜を挟入してもよい。更に、ガラスパネル１２の代わりに、透明な合成樹脂製のパネルを使用してもよい。
【００４２】
また、前記実施例では、展示ケース１の開口部を閉塞する開閉可能な扉２を本発明の板材として説明しているが、板材は扉２に限らず、例えば、展示ケース１の開口部を閉塞する開閉不能な閉塞板等であってもよい。
【符号の説明】
【００４３】
１                展示ケース
２                扉（板材）
３                展示品
４                開口部
５                上部フレーム
６                下部フレーム
７                上部ブラケット
８                下部ブラケット
９                ガイドローラ
９ａ              支持軸
１０              ガイドレール
１０ａ            上片
１０ｂ            抜止め片
１０ｃ            保持片
１１              ガイドレール
１１ａ            底片
１１ｂ            抜止め片
１１ｃ            保持片
１２              ガラスパネル
１３              中間膜（着色中間膜）
１４              中間膜（透明中間膜）
１５              中間膜（着色中間膜）
１６              接着剤
１９              中間膜
１９ａ            着色中間膜
１９ｂ            透明中間膜
２０              ダイレクト印刷
２１              透明中間膜
【図１】
0005656545.tif 000002
【図２】
0005656545.tif 000003
【図３】
0005656545.tif 000004
【図４】
0005656545.tif 000005
【図５】
0005656545.tif 000006